(57)【要約】【課題】所定の高さに吊り上げられた構造物内の吊り足場を構造物本体に固定するにあたり、吊り足場最上層での高所作業をなくし、吊り足場を安全に確実に吊り下げ固定することのできる吊り足場及びその固定方法を提供すること。【解決手段】構造物であるボイラ火炉内の吊り足場１０を、ボイラ火炉内の天井壁管７５に形成された開口隙間を挿通する足場設定吊り部材２１を介して吊上げ用のワイヤロープ２２に接続し、吊り足場１０が所定の高さまで吊り上げられた時に、天井壁管７５の上方で挟持部材２３によって構造物本体であるボイラ本体構造物７４に固定するようにした。【選択図】      図４
2004263460.tif 000002
【特許請求の範囲】
【請求項１】
構造物の天井壁の下方に、周囲の側壁に沿って鉛直面状に多層に設けられる吊り足場において、
前記天井壁に形成された開口隙間を挿通可能に設けられるとともに、上端で前記吊り足場を吊り下げるワイヤロープに接続され、下端で吊り足場の最上層の支持梁に取り付けられる足場設定吊り部材と、
前記吊り足場が前記ワイヤロープで設定高さまで吊り上げられたときに、前記足場設定吊り部材を挟持して前記吊り足場を前記天井壁上方の構造物本体に吊り下げる挟持部材と、が設けられていることを特徴とする構造物の吊り足場。
【請求項２】
構造物の天井壁の下方に、周囲の側壁に沿って鉛直面状に多層に設けられる吊り足場の固定方法において、
前記吊り足場を吊り下げるワイヤロープを前記天井壁に形成された開口隙間を挿通させて下方に吊り下げ、
前記天井壁に形成された開口隙間を挿通可能な足場設定吊り部材の上端を前記ワイヤロープに接続するとともに、前記足場設定吊り部材の下端を前記吊り足場の最上層の支持梁に取り付け、
前記吊り足場を前記ワイヤロープで設定高さまで吊り上げ、
前記足場設定吊り部材を挟持部材で挟持して前記吊り足場を前記天井壁上方の構造物本体に吊り下げ、
前記ワイヤロープを緩めて又は前記足場設定吊り部材から取り外して、前記吊り足場の重量を前記挟持部材に支持させることを特徴とする、構造物の吊り足場の固定方法。
【発明の詳細な説明】
【０００１】
【発明の属する技術分野】
本発明はボイラ火炉等の構造物の仮設足場及びその固定方法に係り、特に火力発電所等の大型循環ボイラの建設に際して好適な吊り足場及びその固定方法に関する。
【０００２】
【従来の技術】
火力発電所等に備えられる循環ボイラの火炉は、直方体状に周囲が構成される。これらの周面は、その大部分が火炉内側の水管壁と火炉外側のケーシングによる二重構造とされ、水管壁とケーシングの間隙部には耐火断熱材が充填されている。
【０００３】
火炉内部は空洞であるから、水管壁の取付けに際しては、火炉内の周面に沿って仮設足場を設ける必要がある。仮設足場は、建設現場に分割して搬入された水管壁を所定の取付け位置に設定するための足場、水管壁を相互に溶接するための足場、水管壁の水圧テストのための足場として用いられる。
【０００４】
従来、ボイラ火炉内の仮設足場は、パイプ足場もしくは鋼製のユニット足場を下方（例えば地上）から上方へと組み立てる、いわゆる組み上げ方式のものが大部分であり、足場丸太又は鋼構造のユニットを連結して骨組みを形成している。この理由としては、第１に仮設足場として最も一般的であること、第２に過去の実績による最も手馴れた方式であり、施工技術が一応確立されていること、第３に他に有効な代替え方式が見当たらなかったことなどの理由による。
【０００５】
しかし、これらの地上から組み上げる方式のものは、組立、解体の作業に必要な工数が多大であり、特に地盤条件の悪い場合には、その整合に多大な作業を有する。また、組立、解体に際して高所作業が多いため、作業安全上好ましくなく、更に、車両や工具の出入りが激しい下方空間を占有するため作業能率に支障をきたす場合が応々にしてあった。
【０００６】
また高層足場においては、垂直荷重が圧縮応力として作用するので、座屈強度を得るため骨組み部材は相応の剛構造が要求され、資材のコストが増大する等の問題を抱えていた。
【０００７】
このような地上組み上げ方式の欠点を解消するものとして、吊り棒で吊り下げられた上部剛部材（支持梁）の下に複数対の垂直棒を吊り下げ、各一対の垂直棒には両端に鍔を有する水平棒を架け渡し、隣同士の水平棒間に足場板を架橋して足場を組立て、次々と下層の足場を吊り下げる方式等、種々の吊り足場が提案されている（例えば、特許文献１参照。）。
【０００８】
この特許文献１に記載された吊り足場は、ボイラ本体構造物から吊り下げられるとともに、最上層の足場となる水平剛部材を有し、該水平剛部材に着脱自在に連結された２対以上の垂直棒と、両端に鍔が設けられ、前記対になった垂直棒間に着脱自在に架け渡された水平棒と、該水平棒間に架橋された足場板とから第二層の足場が構成され、第三層以下の足場が前記第二層と同様に垂直棒と水平棒と足場板とから構成され、垂直棒が上層の水平棒に着脱自在に吊り下げられたボイラ火炉内の吊り足場である。
【０００９】
【特許文献１】
特開昭５９−０４４５０４号公報
【００１０】
【発明が解決しようとする課題】
ところが、この従来の吊り足場においては、図８に示すように、最上層の支持梁１１１にワイヤロープ１２２を取り付け、巻上げ機でワイヤロープを巻き取って吊り足場１１０を所定の高さまで吊り上げた後、天井壁管１７５の開口隙間から垂下させた足場設定具１２１の下端を支持梁１１１に取り付け、上端をボイラ本体構造物１７４に固定し、しかる後に支持梁１１１からワイヤロープ１２２を取り外していた。
【００１１】
しかし、この足場設定具１２１下端の支持梁１１１への取り付け、及び足場設定具１２１上端をボイラ本体構造物１７４に固定した後の支持梁１１１からワイヤロープ１２２を取り外す作業は、何れも吊り足場最上層の支持梁１１１上で行わなければならず、作業の安全面から要求されている高所作業を減少させる方向とは逆行するものであった。
【００１２】
本発明はかかる事情に鑑みてなされたもので、所定の高さに吊り上げられた吊り足場を構造物本体に固定するにあたり、吊り足場最上層での高所作業をなくし、吊り足場を安全に確実に吊り下げ固定することのできる吊り足場及びその固定方法を提供することを目的とする。
【００１３】
【課題を解決するための手段】
前記目的を達成するために、請求項１に記載の発明は、構造物の天井壁の下方に、周囲の側壁に沿って鉛直面状に多層に設けられる吊り足場において、前記天井壁に形成された開口隙間を挿通可能に設けられるとともに、上端で前記吊り足場を吊り下げるワイヤロープに接続され、下端で吊り足場の最上層の支持梁に取り付けられる足場設定吊り部材と、前記吊り足場が前記ワイヤロープで設定高さまで吊り上げられたときに、前記足場設定吊り部材を挟持して前記吊り足場を前記天井壁上方の構造物本体に吊り下げる挟持部材と、が設けられていることを特徴としている。
【００１４】
また、請求項２に記載の発明は、構造物の天井壁の下方に、周囲の側壁に沿って鉛直面状に多層に設けられる吊り足場の固定方法において、前記吊り足場を吊り下げるワイヤロープを前記天井壁に形成された開口隙間を挿通させて下方に吊り下げ、前記天井壁に形成された開口隙間を挿通可能な足場設定吊り部材の上端を前記ワイヤロープに接続するとともに、前記足場設定吊り部材の下端を前記吊り足場の最上層の支持梁に取り付け、前記吊り足場を前記ワイヤロープで設定高さまで吊り上げ、前記足場設定吊り部材を挟持部材で挟持して前記吊り足場を前記天井壁上方の構造物本体に吊り下げ、前記ワイヤロープを緩めて又は前記足場設定吊り部材から取り外して、前記吊り足場の重量を前記挟持部材に支持させることを特徴としている。
【００１５】
本発明によれば、構造物内に構築された吊り足場は、構造物の天井壁に形成された開口隙間を挿通する足場設定吊り部材を介して吊上げ用のワイヤロープに接続され、吊り足場が所定の高さまで吊り上げられた時に、天井壁の上方で挟持部材によって構造物本体に吊り下げ固定されるので、吊り足場の固定作業にあたり、吊り足場最上層での高所作業をなくし、吊り足場を安全に確実に吊り下げ固定することができる。
【００１６】
【発明の実施の形態】
以下、添付図面に従って本発明の実施の形態に係る構造物の吊り足場及びその固定方法の好ましい実施の形態について説明する。なお各図において同一の部材には同一の番号を付している。
【００１７】
先ず最初に、本実施の形態に係る構造物の吊り足場として、ボイラ火炉内の仮設足場に用いられている吊り足場の基本構成について説明する。図１は、吊り足場の基本構造を表わす斜視図である。吊り足場１０は、構造物本体からワイヤロープ及び足場設定吊り部材２１で吊り下げられた支持梁１１を有し、支持梁１１は最上層の足場となっている。
【００１８】
支持梁１１から下方には複数対の垂直棒１５、１５、…が吊り下げられ、各対の垂直棒１５、１５にはめ込まれた水平棒１６、１６、…、及び各水平棒１６、１６間に架橋された足場板１４、１４、…で第二層の足場が形成されている。第二層の水平棒１６、１６、…からは夫々一対の垂直棒１５、１５が吊り下げられ、各対の垂直棒１５、１５には夫々水平棒１６がはめ込まれ、各水平棒１６、１６間には足場板１４が架橋されて第三層の足場が形成されている。
【００１９】
以下同様にして第四層、第五層、…の足場が形成され、これら複数層の足場によって吊り足場１０全体が構成されている。
【００２０】
図２は、支持梁１１より下層の足場を形成するための垂直棒１５と水平棒１６の詳細を表わす斜視図である。水平棒１６は両端に夫々２枚ずつの鍔１６Ａ、１６Ａが溶接されている。また、垂直棒１５は両端に連結板１５Ａが溶接され、連結板１５Ａには、水平棒１６の鍔１６Ａの直径より僅かに大きな大径孔１５Ｃと、水平棒１６の棒部１６Ｂの直径よりも僅かに大きな小径孔１５Ｄとが接続されてなるだるま形孔１５Ｂが形成されている。
【００２１】
だるま形孔１５Ｂの形状を更に詳細に説明すると、小径孔１５Ｄの半円部と大径孔１５Ｃとが小径孔１５Ｄの直径と等しい幅の平行溝で接続されており、水平棒１６の棒部１６Ｂは大径孔１５Ｃと小径孔１５Ｄとの間を移動できるようになっている。
【００２２】
また、水平棒１６の両端に夫々取付けられた２枚の鍔１６Ａ、１６Ａ間の隙間は、垂直棒１５の両端に取付けられた連結板１５Ａの厚さの２倍よりも僅かに大きくなっている。
【００２３】
上層から吊り下げられた垂直棒１５の下端の連結板１５Ａと下層に吊り下げる垂直棒１５の上端の連結板１５Ａとが夫々大径孔１５Ｃから水平棒１６の鍔１６Ａを挿通させ、２枚の鍔１６Ａ、１６Ａ間の隙間の棒部１６Ｂで夫々の小径孔１５Ｄに係合させている。垂直棒１５の上端の連結板１５Ａには、小径孔１５Ｄに係合された水平棒１６の棒部１６Ｂを把持する把持具１７が設けられている。
【００２４】
図３は足場板１４を表わす斜視図である。足場板１４は断面コの字型の足場板本体１４Ａと、足場板本体１４Ａの長手方向両端部に取付けられ、夫々２個のフック１４Ｃ、１４Ｃが設けられたフックベース１４Ｂ、１４Ｂとから構成されている。
【００２５】
各層の対になった垂直棒に架け渡された水平棒１６の隣り合う水平棒１６間には、足場板１４が長手方向の両端に設けられたフック１４Ｃ、１４Ｃを水平棒１６に係合させることにより架橋され、各層の足場となっている。
【００２６】
図４は、所定高さまで吊り上げられた吊り足場１０が構造物本体としてのボイラ本体構造物に固定された状態を表わす概念図である。吊り足場１０は、最上層の支持梁１１に取り付けられた足場設定吊り部材２１を介してワイヤロープ２２に吊り下げられ、所定高さまで引き上げられた後、足場設定吊り部材２１の上部が挟持部材２３で挟持され、ボイラ本体構造物７４に吊り下げ固定される。なお、図４においては吊り足場１０は２本のワイヤロープ２２、２２で吊り下げられているが、吊り足場１０全体の重量に応じて適宜の本数のワイヤロープ２２で吊り下げられる。
【００２７】
図５は、足場設定吊り部材２１の詳細構造を表わす斜視図である。足場設定吊り部材２１は、図５に示すように、吊り棒２１Ａ、吊り棒２１Ａの上端部に溶接された被挟持板２１Ｃ、被挟持板２１Ｃと互いに面が直交するように溶接された連結板２１Ｂ、及び吊り棒２１Ａの下端部に溶接された連結具２１Ｄとからなっている。
【００２８】
連結板２１Ｂには、ワイヤロープ２２の先端に固定された後述する連結具２２Ａと連結するための孔２１Ｅが形成されている。また、被挟持板２１Ｃには挟持部材２３で挟持するための長孔２１Ｆが形成されている。連結具２１Ｄは先端が二股に形成され、支持梁１１と連結するための孔２１Ｇが形成されている。
【００２９】
図６は、ボイラ本体構造物７４の下方にはりめぐらされた天井壁としての天井壁管７５に形成された開口隙間７５Ａを説明するための平面図である。天井壁管７５は隣同士の各管が近接して配管されており、管内は火炉で発生された高温の水蒸気が通る。この天井壁管７５の所定の位置には、足場設定吊り部材２１や後述するワイヤロープ２２の先端に固定された連結具２２Ａが挿通可能な開口隙間７５Ａが形成されている。開口隙間７５Ａの形成は、開口隙間７５Ａ近傍の管数本を開口隙間７５Ａの中心から外側に向けて押し広げた形で形成されている。また、開口隙間７５Ａには開口隙間７５Ａを形成している管を保護するための開口縁７５Ｂが設けられている。
【００３０】
図７は、図４におけるＡ部の詳細を表わしたもので、図７（ａ）は正面図で、図７（ｂ）は側面図である。同図に示すように、吊り足場１０を吊り下げている足場設定吊り部材２１は上部の連結板２１Ｂでワイヤロープ２２の先端に固定された連結具２２Ａとボルトで結合されている。
【００３１】
また、足場設定吊り部材２１は被挟持板２１Ｃで挟持部材２３に挟持され、ボイラ本体構造物７４上に吊り下げ固定されている。挟持部材２３は、溝底部にボルト挿通孔が形成された一対の溝形鋼からなる挟持ブロック２３Ａ、２３Ａと、ボルト２３Ｂ、及びナット２３Ｃで構成され、挟持ブロック２３Ａ、２３Ａで足場設定吊り部材２１の被挟持板２１Ｃを挟み込み、ボルト２３Ｂ、及びナット２３Ｃで締め付けるようになっている。また、被挟持板２１Ｃに形成された長孔２１Ｆは縦方向の長孔になっているため、吊り上げ装置で微妙な位置調整をすることなくボルト２３Ｂを容易に挿通させることができる。
【００３２】
次に、前述の構造を有する吊り下げ式の吊り足場１０の組立手順について説明する。先ず、最上層の足場となる支持梁１１を地上の所定の位置に搬入する。次に、吊り足場１０を吊り上げる複数本のワイヤロープ２２、２２、…を天井壁管７５の開口隙間７５Ａを挿通させて地上まで下ろし、各ワイヤロープ２２の先端に固定された連結具２２Ａで足場設定吊り部材２１と接続する。次いで、支持梁１１の所定の位置に足場設定吊り部材２１の連結具２１Ｄを取り付け、足場設定吊り部材２１と支持梁１１とを連結する。
【００３３】
次に第二層の垂直棒１５を吊り下げる位置の連結部材に第二層の垂直棒１５、１５、…を取付ける。この時支持梁１１に取付けられた連結部材の鍔を連結板１５Ａの大径孔１５Ｄに挿通させた後垂直棒１５をスライドさせることにより、連結板１５Ａの小径孔１５Ｃと連結部材の棒部とが係合される。次いで把持具１７を回転移動させて棒部を把持する位置に位置付ける。
【００３４】
所定箇所への垂直棒１５の取付が終了すると、図示しない吊り上げ機によってワイヤロープ２２を引き上げ、支持梁１１を下層の一層分だけ吊り上げる。なお、垂直棒１５の取付けは、支持梁１１を吊り上げた後に行ってもよい。
【００３５】
次に、支持梁１１の幅方向に対に配置されている垂直棒１５、１５の下端の連結板１５Ａに水平棒１６を取付ける。この水平棒１６の取付けは、水平棒１６の両端の鍔１６Ａを垂直棒１５の連結板１５Ａに形成されただるま形孔１５Ｂの大径孔１５Ｃに挿通して下方にスライドすることにより、水平棒１６の棒部１６Ｂをだるま形孔１５Ｂの小径孔１５Ｄに係合させる。
【００３６】
所定箇所の水平棒１６の取付けが終了すると、次に足場板１４の長手方向の両端に設けられたフック１４Ｃ、１４Ｃを水平棒１６に係合させることにより、隣り合う水平棒１６間に足場板１４を架橋する。これで第二層の足場が組み立てられる。
【００３７】
次に、第三層用の垂直棒１５の上端に取付けられている連結板１５Ａを、前述と同様にして、だるま形孔を利用して水平棒１６の端部の鍔１６Ａの内側に嵌め込み、把持具１７で水平棒１６の棒部１６Ｂを把持する。水平棒１６の端部の鍔１６Ａとその内側の鍔１６Ａとの間隔が、連結板１５Ａの厚さの２倍よりも僅かに広いので、第二層の垂直棒１５の連結板１５Ａと第三層の垂直棒１５の連結板１５Ａとが２枚の鍔１６Ａ、１６Ａの間で挟持される。
【００３８】
所定箇所の水平棒１６への垂直棒１５の取付が終了すると、支持梁１１を更に一層分吊り上げて第二層を地上から一層分吊り上げる。なお、第三層用の垂直棒１５の取付けも第二層を吊り上げた後に行ってもよい。以下同様にして最下層の足場まで一層分ずつ足場を組み立てては吊り上げてゆく。このようにして、地上で組立作業を行い、一層ずつ吊り上げるので、高所作業が著しく軽減される。なお、必要に応じて、任意の層に支持梁１１を組込み、吊り足場全体としての強度を向上させる。
【００３９】
最下層の足場が吊り上げられるときは、足場設定吊り部材２１の一部は天井壁管７５の開口隙間７５Ａを挿通してボイラ本体構造物７４の上方まで届いている。ここで、挟持部材２３の一対の挟持ブロック２３Ａ、２３Ａで足場設定吊り部材２１の被挟持板２１Ｃを挟み込み、ボルト２３Ｂとナット２３Ｃとで固定する。この時被挟持板２１Ｃには縦方向に長孔２１Ｆが形成されているので、ボルト２３Ｂを容易に挿通させることができる。このように全ての足場設定吊り部材２１を挟持部材２３で挟持することにより、吊り足場１０はボイラ本体構造物７４に吊り下げ固定される。
【００４０】
次に、各ワイヤロープ２２を緩め、各吊上げ機への負荷を軽減する。また、必要に応じてワイヤロープ２２先端の連結具２２Ａと足場設定吊り部材２１の連結板２１Ｂとの結合を解除して、ワイヤロープ２２を取り外す。
【００４１】
吊り足場１０を解体する場合は、組立とは逆の手順で行う。先ずワイヤロープ２２を取り外した場合は、ワイヤロープ２２を足場設定吊り部材２１に接続する。次に、ワイヤロープ２２を弛みがなくなるまで引き上げ、挟持部材２３のボルト２３Ｂを緩めて抜き取り、挟持部材２３を取り外す。このようにして全ての足場設定吊り部材２１に対して挟持部材２３を取り外し、吊り足場１０を複数のワイヤロープ２２、２２、…による吊り下げ状態にする。
【００４２】
次に、最下層の足場を解体する。最下層の足場の足場板１４、１４、…を取外し、水平棒１６、１６、…を取外したら、垂直棒１５、１５、…を取外す。最下層の垂直棒１５、１５、…を全て取外すと、次に吊り足場１０全体を一層分吊り降ろし、最下層の上の層の足場を解体する。以下この作業を繰返し、吊り足場１０全体を解体する。
【００４３】
以上が吊り足場１０の構成とその組立、解体手順である。このように、本発明の構造物の吊り足場及びその固定方法によれば、吊り足場１０を設定高さに固定するための足場設定吊り部材をワイヤロープの先端に連結して、吊り足場１０を吊り下げる位置と吊り足場１０を固定する位置とを一致させたので、吊り足場１０が構築された後の吊り足場１０の固定作業、及び吊り足場１０の解体作業において、吊り足場１０の最上層の支持梁１１での高所作業をなくすことができる。
【００４４】
なお、本発明における足場設定吊り部材２１は、本実施の形態で説明した形状に限定されるものではなく、天井壁である天井壁管７５の開口隙間７５Ａを挿通可能な寸法であれば任意の形状が用いられる。また、挟持部材２３の構成も本実施の形態に限定されるものではない。
【００４５】
【発明の効果】
以上説明したように、本発明に係る構造物の吊り足場及びその固定方法によれば、吊り足場は、構造物内の天井壁に形成された開口隙間を挿通する足場設定吊り部材を介して吊上げ用のワイヤロープに接続され、吊り足場が所定の高さまで吊り上げられた時に、天井壁の上方で挟持部材によって構造物本体に固定されるので、吊り足場の固定作業にあたり、吊り足場最上層での高所作業をなくし、吊り足場を安全に確実に吊り下げ固定することができる。また、吊り足場の解体作業においても吊り足場最上層での高所作業を必要としない。
【図面の簡単な説明】
【図１】本発明に係る吊り足場の基本構造を説明する斜視図
【図２】吊り足場の垂直棒と水平棒の詳細を表わす斜視図
【図３】足場板を表わす斜視図
【図４】吊り足場が構造物に固定された状態を表わす概念図
【図５】足場設定吊り部材を表わす斜視図
【図６】天井壁管の開口隙間を表わす平面図
【図７】固定部分の詳細を表わす正面図、及び側面図
【図８】従来の吊り足場の固定方法を説明する概念図
【符号の説明】
１０…吊り足場、１１…支持梁、１４…足場板、１５…垂直棒、１６…水平棒、２１…足場設定吊り部材、２２…ワイヤロープ、２３…挟持部材、７４…ボイラ本体構造物（構造物本体）、７５…天井壁管（天井壁）、７５Ａ…開口隙間
【図１】
2004263460.tif 000003
【図２】
2004263460.tif 000004
【図３】
2004263460.tif 000005
【図４】
2004263460.tif 000006
【図５】
2004263460.tif 000007
【図６】
2004263460.tif 000008
【図７】
2004263460.tif 000009
【図８】
2004263460.tif 000010